(57)【要約】      （修正有）【課題】タッチパネルの端子電極とＦＰＣの端子電極との接続状態を液晶表示パネルとタッチパネルを一体化した状態で容易にする視認する。【解決手段】タッチパネル付ＬＣＤは、アレイ側基板の一面の複数本のゲート信号線と、ゲート信号線と交差する複数本の画像信号線と、ゲート信号線と画像信号線の交差部に形成された、ＴＦＴ素子及び画素電極を含む画素部と、アレイ側基板の一面に液晶を挟んで一面が対向するカラーフィルタ側基板と、その一面に対向する面に形成された検出電極と、対向する面の端部に形成された、検出電極と電気的に接続されている複数の端子電極２４と、を有する。アレイ側基板は、一面の端部側に引き回し配線１２が形成され、複数の端子電極２４は、それらの半分以下の数が引き回し配線１２と平面視で重なる。【選択図】図４
2016071670.tif 000002
【特許請求の範囲】
【請求項１】
第１の基板の一面の第１の方向に形成された複数本のゲート信号線と、前記第１の方向と交差する第２の方向に前記ゲート信号線と交差させて形成された複数本の画像信号線と、前記ゲート信号線と前記画像信号線の交差部に形成された、薄膜トランジスタ素子及び画素電極を含む画素部と、前記第１の基板の前記一面に液晶を挟んで一面が対向する第２の基板と、前記第２の基板の前記一面に対向する面に形成された、被検出体の接触を検出する検出電極と、前記第２の基板の前記対向する面の端部に形成された、前記検出電極と電気的に接続されている複数の端子電極と、を有しており、前記第１の基板は、その前記一面の前記端部側に引き回し配線が形成されており、複数の前記端子電極は、それらの半分以下の数が前記引き回し配線と平面視で重なっているタッチパネル付液晶表示装置。
【請求項２】
複数の前記端子電極は、１つ以上おきに前記引き回し配線と平面視で重なっている請求項１に記載のタッチパネル付液晶表示装置。
【請求項３】
前記第１の基板の前記一面の周縁と前記第２の基板の前記一面の周縁とが透光性の封止材によって封止されている請求項１または請求項２に記載のタッチパネル付液晶表示装置。
【発明の詳細な説明】
【技術分野】
【０００１】
本発明は、タッチパネルの検出電極が液晶表示パネルの表示側の面に直接的に形成されたタッチパネル付液晶表示装置に関する。
【背景技術】
【０００２】
従来のタッチパネルを備えた液晶表示装置（Liquid  Crystal  Display  ：ＬＣＤ）の１例を図５に示す。図５は従来のタッチパネル付ＬＣＤLT2の側断面図である。このタッチパネル付ＬＣＤLT2は、液晶表示パネルL2とタッチパネルT2とを個別に作製し、液晶表示パネルL2のカラーフィルタ側基板３６の液晶３５側の面と対向する面（上面）に、高透明性接着剤転写テープ（Optically  Clear  Adhesive  Tape  ：ＯＣＡ）等を介してタッチパネルT2を載置し接合することによって構成される（例えば、特許文献１を参照）。
【０００３】
液晶表示パネルL2は、薄膜トランジスタ（Thin  Film  Transistor  ：ＴＦＴ）素子を含む画素部３４が多数形成されたガラス基板等から成るアレイ側基板３１と、カラーフィルタ及びブラックマトリクスが形成されたガラス基板等から成るカラーフィルタ側基板３６とを互いに対向させて、それらの基板を所定の間隔でもって貼り合わせ、それらの基板間に液晶３５を充填、封入させることによって作製される。また、一般的に、カラーフィルタ側基板３６は、ＴＦＴ素子３２及び画素電極３３から成る画素部３４に対向する側の面、すなわち液晶３５側の面の全面に、画素電極３３との間で液晶３５に印加する垂直電界を形成するための共通電極３９が形成されている。この共通電極３９は、ＩＰＳ（In-Plane  Switching）方式のＬＣＤの場合、アレイ側基板３１の画素部３４に画素電極３３と同じ面内に形成されることによって横電界を生じさせるものとなる。また共通電極３９は、ＦＦＳ（Fringe  Field  Switching）方式のＬＣＤの場合、アレイ側基板３１の画素部３４に画素電極３３の上方または下方に絶縁層を挟んで形成されることによって端部電界（フリンジ電界）を生じさせるものとなる。また、カラーフィルタ側基板３６の液晶３５側の面には、各画素部３４に対応する赤（Ｒ）、緑（Ｇ）、青（Ｂ）のカラーフィルタ３７が形成されており、各画素部３４を通過する光が相互に干渉することを防ぐブラックマトリクスがカラーフィルタ３７の外周を囲むように形成されている。なお、カラーフィルタ層３７を覆ってオーバーコート層３８が形成されており、オーバーコート層３８上に共通電極３９が形成されている。
【０００４】
また、アレイ側基板３１の液晶３５側の面の縁部全周と、カラーフィルタ側基板３６の液晶３５側の面の縁部全周とが、シリコーン樹脂、エポキシ樹脂、合成ゴム等から成る封止部材４０によって接着、封止されている。さらに、アレイ側基板３１の液晶３５側の面における封止部材４０から外部に突出した部位には、ＩＣ，ＬＳＩ等から成る、ゲート信号線駆動回路、画像信号線駆動回路としての駆動回路素子４１がＣＯＧ（Chip  On  Glass）方式等の実装方法により搭載されており、さらに駆動回路素子４１に外部から駆動信号、制御信号を入出力するフレキシブル印刷回路基板（Flexible  Printed  Circuits  ：ＦＰＣ）４４が、上記突出した部位の端部に設置されている。なお、４２はＬＣＤのゲート信号線、画像信号線と駆動回路素子４１を接続等するための引き回し配線、４３は駆動回路素子４１とＦＰＣ４４の回路配線とを電気的に接続するための端子電極である。
【０００５】
また、図９は、アクティブマトリクス型及びＩＰＳ型のＬＣＤの基本構成を示すブロック回路図である。例えば、ＬＣＤのアレイ側基板107は、その上の第１の方向（例えば、行方向）に形成された複数本のゲート信号線105（GL1，GL2，GL3・・・GLn）と、第１の方向と交差する第２の方向（例えば、列方向）にゲート信号線105と交差させて形成された複数本の画像信号線106（SL1，SL2，SL3・・・SLm）と、ゲート信号線105と画像信号線106の交差部に形成された、ＴＦＴ素子101、画素電極（PE11,PE12,PE13・・・PEnm）及びその画素電極（PE11,PE12,PE13・・・PEnm）との間で液晶に印加する横電界を形成するための共通電極を含む画素部P11，P12，P13・・・Pnmと、共通電極に共通電圧（Vcom）を供給する共通電圧線102と、を有する構成である。また、103はゲート信号線駆動回路、104は画像信号（ソース信号）線駆動回路、110は表示部である。
【０００６】
タッチパネルT2は、下側基板５１の一面にインジウム錫酸化物（Indium  Tin  Oxide  ：ＩＴＯ）等の透明電極から成る検出電極５２が形成されており、検出電極５２上に保護基板としての上側基板５３が設けられている。また、検出電極５２と外部の検出手段等との間で検出信号等の入出力を行うためのＦＰＣ５６が、下側基板５１の上面の端部に設置されている。なお、５４は検出電極５２と端子電極５５を接続するための引き回し配線、５５は引き回し配線５４とＦＰＣ５６の回路配線とを電気的に接続するための端子電極である。
【０００７】
図５に示したタッチパネル付ＬＣＤLT2は、液晶表示パネルL2とタッチパネルT2を積層して構成されるために、厚みが厚くなりやすい。そこで、薄型化するために、図６に示すように、タッチパネルの検出電極が液晶表示パネルL3のカラーフィルタ側基板の表面に直接的に形成されたタッチパネル付ＬＣＤLT3が提案されている。液晶表示パネルL3は、アレイ側基板６１とカラーフィルタ側基板６６とを互いに対向させて、それらの基板を所定の間隔でもって貼り合わせ、それらの基板間に液晶６５を充填、封入させることによって作製される。また、一般的に、カラーフィルタ側基板６６は、ＴＦＴ素子６２及び画素電極６３から成る画素部６４に対向する側の面、すなわち液晶６５側の面の全面に、画素電極６３との間で液晶６５に印加する垂直電界を形成するための共通電極６９が形成されている。この共通電極６９は、ＩＰＳ方式のＬＣＤの場合、アレイ側基板６１の画素部６４に画素電極６３と同じ面内に形成されることによって横電界を生じさせるものとなる。また共通電極６９は、ＦＦＳ方式のＬＣＤの場合、アレイ側基板６１の画素部６４に画素電極６３の上方または下方に絶縁層を挟んで形成されることによって端部電界（フリンジ電界）を生じさせるものとなる。また、カラーフィルタ側基板６６の液晶６５側の面には、各画素部６４に対応する赤（Ｒ）、緑（Ｇ）、青（Ｂ）のカラーフィルタ６７が形成されており、各画素部６４を通過する光が相互に干渉することを防ぐブラックマトリクスがカラーフィルタ６７の外周を囲むように形成されている。なお、カラーフィルタ層６７を覆ってオーバーコート層６８が形成されており、オーバーコート層６８上に共通電極６９が形成されている。
【０００８】
また、アレイ側基板６１の液晶６５側の面の縁部全周と、カラーフィルタ側基板６６の液晶６５側の面の縁部全周とが、封止部材７０によって接着、封止されている。さらに、アレイ側基板６１の液晶６５側の面における封止部材７０から外部に突出した部位には、ＩＣ，ＬＳＩ等から成る、ゲート信号線駆動回路、画像信号線駆動回路としての駆動回路素子７１がＣＯＧ方式等の実装方法により搭載されており、さらに駆動回路素子７１に外部から駆動信号、制御信号を入出力するＦＰＣ７４が、上記突出した部位の端部に設置されている。なお、７２は液晶表示パネルL3のゲート信号線、画像信号線と駆動回路素子７１を接続等するための引き回し配線、７３は駆動回路素子７１とＦＰＣ７４の回路配線とを電気的に接続するための端子電極である。
【０００９】
そして、カラーフィルタ側基板６６の液晶６５側の面と対向する面（上面）に、タッチパネルT3の検出電極８１が直接的に形成されている。検出電極８１上に保護基板としてのガラス基板等から成る基板８２が設けられている。また、検出電極８１と外部の検出手段等との間で検出信号等の入出力を行うためのＦＰＣ８５が、カラーフィルタ側基板６６の上面の端部に設置されている。なお、８３は検出電極８１と端子電極８４を接続するための引き回し配線、８４は引き回し配線８３とＦＰＣ８５の回路配線とを電気的に接続するための端子電極である。
【００１０】
また図７は、静電容量型のタッチパネルT3の検出電極等を示す平面図である。検出電極８１は、カラーフィルタ側基板６６の上面のＸ方向（例えば、行方向）に伸びるように形成されたＸ検出電極81Xと、Ｙ方向（例えば、列方向）に伸びるように形成されたＹ検出電極81Yと、Ｘ検出電極81XとＹ検出電極81Yが短絡することを防ぐとともにＸ検出電極81Xの電極部同士を接続するためのブリッジ電極81bと、を有している。端子電極８４群は、カラーフィルタ側基板６６の上面の端部に集中的に配置されている。なお、84aは端子電極領域である。
【００１１】
また図８は、タッチパネル付ＬＣＤLT3のタッチパネルT3部を透視した透視平面図である。アレイ側基板６１の上面に、その第１の方向（例えば、行方向）に形成された複数本のゲート信号線61gと、第１の方向と交差する第２の方向（例えば、列方向）にゲート信号線61gと交差させて形成された複数本の画像信号線61sと、ゲート信号線61gと画像信号線61sの交差部に形成された、ＴＦＴ素子６２及び画素電極６３を含む画素部６４と、が形成されている。アレイ側基板６１の上面の１つの辺縁部に、画像信号線61sに画像信号を入力等する駆動回路素子７１が設けられており、アレイ側基板６１の上面の他の辺縁部に、ゲート信号線61gにゲート信号を入力等する駆動回路素子71aが設けられている。なお、65aは表示部、72aはゲート信号線61gと駆動回路素子71aを接続する引き回し配線、73aは駆動回路素子71aとＦＰＣ74aの回路配線とを電気的に接続するための端子電極である。
【先行技術文献】
【特許文献】
【００１２】
【特許文献１】特開２０１０−１２８６７６号公報
【発明の概要】
【発明が解決しようとする課題】
【００１３】
上記従来のタッチパネル付ＬＣＤLT3においては、端子電極８４とＦＰＣ８５の端子電極との接続状態をアレイ側基板６１の下面側（図６の白抜き矢印で示す方向）から視認によって確認する必要があった。これは、液晶表示パネルL3とタッチパネルT3を一体的に作製した後にＦＰＣ８５をカラーフィルタ側基板６６に設置するからである。そして、図８に示すように、タッチパネルT3の端子電極領域84aが、平面視で液晶表示パネルL3の引き回し配線７２とできるだけ重畳しないように形成していた。これは、端子電極８４とＦＰＣ８５の端子電極との接続状態を視認によって確認できるようにする目的のためである。しかしながら、すべての引き回し配線７２が端子電極領域84aを回避するように配線する必要があること、また駆動回路素子７１が大型化すること等の理由から、端子電極領域84aが引き回し配線７２と重畳しないように形成することが困難になってきていた。なお、図５に示すような、タッチパネルT2が液晶表示パネルL2と別個に作製されるタッチパネル付ＬＣＤLT2の場合、タッチパネルT2にＦＰＣ５６を実装した後にタッチパネルT2を液晶表示パネルL2に貼り付けるため、タッチパネルT2単体についてＦＰＣ５６の接続状態を確認できる。従って、上記のような問題点は発生しない。
【００１４】
本発明は、上記の問題点に鑑みて完成されたものであり、その目的は、タッチパネルの端子電極とＦＰＣとの接続状態を液晶表示パネルとタッチパネルを一体化した状態で確認することが容易とされたタッチパネル付ＬＣＤとすることである。
【課題を解決するための手段】
【００１５】
本発明のタッチパネル付液晶表示装置は、第１の基板の一面の第１の方向に形成された複数本のゲート信号線と、前記第１の方向と交差する第２の方向に前記ゲート信号線と交差させて形成された複数本の画像信号線と、前記ゲート信号線と前記画像信号線の交差部に形成された、薄膜トランジスタ素子及び画素電極を含む画素部と、前記第１の基板の前記一面に液晶を挟んで一面が対向する第２の基板と、前記第２の基板の前記一面に対向する面に形成された、被検出体の接触を検出する検出電極と、前記第２の基板の前記対向する面の端部に形成された、前記検出電極と電気的に接続されている複数の端子電極と、を有しており、前記第１の基板は、その前記一面の前記端部側に引き回し配線が形成されており、複数の前記端子電極は、それらの半分以下の数が前記引き回し配線と平面視で重なっている構成である。
【００１６】
本発明のタッチパネル付液晶表示装置は、好ましくは、複数の前記端子電極は、１つ以上おきに前記引き回し配線と平面視で重なっている。
【００１７】
また本発明のタッチパネル付液晶表示装置は、好ましくは、前記第１の基板の前記一面の周縁と前記第２の基板の前記一面の周縁とが透光性の封止材によって封止されている。
【発明の効果】
【００１８】
本発明のタッチパネル付液晶表示装置は、第１の基板の一面の第１の方向に形成された複数本のゲート信号線と、第１の方向と交差する第２の方向にゲート信号線と交差させて形成された複数本の画像信号線と、ゲート信号線と画像信号線の交差部に形成された、薄膜トランジスタ素子及び画素電極を含む画素部と、第１の基板の一面に液晶を挟んで一面が対向する第２の基板と、第２の基板の前記一面に対向する面に形成された、被検出体の接触を検出する検出電極と、第２の基板の対向する面の端部に形成された、検出電極と電気的に接続されている複数の端子電極と、を有しており、第１の基板は、その前記一面の前記端部側に引き回し配線が形成されており、複数の端子電極は、それらの半分以下の数が引き回し配線と平面視で重なっていることから、タッチパネルの端子電極とＦＰＣの端子との接続状態を液晶表示パネルとタッチパネルを一体化した状態で確認することが容易になる。その結果、タッチパネルとＦＰＣとの接続不良を低減させることができる。
【００１９】
本発明のタッチパネル付液晶表示装置は、好ましくは、複数の端子電極は、１つ以上おきに引き回し配線と平面視で重なっていることから、引き回し配線と平面視で重なっている端子電極（端子電極Ｄ1とする）の両側に、引き回し配線と平面視で重なっていない端子電極（端子電極Ｄ0とする）が存在することになる。その結果、タッチパネルの端子電極とＦＰＣの端子との接続状態を液晶表示パネルとタッチパネルを一体化した状態で確認することがより容易になる。すなわち、端子電極Ｄ1の両側の端子電極Ｄ0がＦＰＣの端子電極と平面視で重畳して良好に接続された状態であれば、端子電極Ｄ1もＦＰＣの端子電極と平面視で重畳して良好に接続されていることが推察できる。その結果、タッチパネルとＦＰＣとの接続不良をより低減させることができる。
【００２０】
また本発明のタッチパネル付液晶表示装置は、好ましくは、第１の基板の上面の周縁と第２の基板の下面の周縁とが透光性の封止材によって封止されていることから、タッチパネルの端子電極を視認することがより容易になる。その結果、タッチパネルとＦＰＣとの接続不良をより低減させることができる。
【図面の簡単な説明】
【００２１】
【図１】図１は、本発明のタッチパネル付液晶表示装置について実施の形態の１例を示す図であり、タッチパネル付液晶表示装置の側断面図である。
【図２】図２は、図１のタッチパネル付液晶表示装置におけるタッチパネルの検出電極等を示す平面図である。
【図３】図３は、図１のタッチパネル付液晶表示装置のタッチパネル部を透視した透視平面図である。
【図４】図４（ａ）〜（ｃ）は、それぞれ図１のタッチパネル付液晶表示装置におけるタッチパネルの端子電極領域を拡大して示す拡大平面図である。
【図５】図５は、従来のタッチパネル付液晶表示装置の１例の側断面図である。
【図６】図６は、従来のタッチパネル付液晶表示装置の他例の側断面図である。
【図７】図７は、図６のタッチパネル付液晶表示装置におけるタッチパネルの検出電極等を示す平面図である。
【図８】図８は、図６のタッチパネル付液晶表示装置のタッチパネル部を透視した透視平面図である。
【図９】図９は、従来の液晶表示装置の基本構成を示すブロック回路図である。
【発明を実施するための形態】
【００２２】
以下、本発明のタッチパネル付ＬＣＤの実施の形態について、図面を参照しながら説明する。但し、以下で参照する各図は、本発明のタッチパネル付ＬＣＤの実施の形態における構成部材のうち、本発明のタッチパネル付ＬＣＤを説明するための主要部を示している。従って、本発明に係るタッチパネル付ＬＣＤは、図に示されていない回路基板、配線導体、制御ＩＣ，ＬＳＩ等の周知の構成部材を備えていてもよい。
【００２３】
図１は、本発明のタッチパネル付ＬＣＤについて実施の形態の１例を示す図であり、タッチパネル付ＬＣＤの側断面図である。図１に示すように、本発明のタッチパネル付ＬＣＤLT1は、第１の基板としてのガラス基板等から成るアレイ側基板１の上面の第１の方向（例えば、行方向）に形成された複数本のゲート信号線と、第１の方向と交差する第２の方向（例えば、列方向）にゲート信号線と交差させて形成された複数本の画像信号線と、ゲート信号線と画像信号線の交差部に形成された、ＴＦＴ素子２及び画素電極３を含む画素部４と、アレイ側基板１の一面に液晶５を挟んで一面が対向するガラス基板等から成る第２の基板としてのカラーフィルタ側基板６と、その前記一面に対向する面に形成された、被検出体の接触を検出する検出電極２１と、カラーフィルタ側基板６の前記対向する面の端部に形成された、検出電極２１と電気的に接続されている複数の端子電極２４と、を有しており、アレイ側基板１は、その前記一面の平面視で前記端部側に引き回し配線１２が形成されており、複数の端子電極２４は、それらの半分以下の数が引き回し配線１２と平面視で重なっている構成である。この構成により、タッチパネルT1の端子電極２４とＦＰＣ２５との接続状態を液晶表示パネルL1とタッチパネルT1を一体化した状態で確認することが容易になる。その結果、タッチパネルT1とＦＰＣ２５との接続不良を低減させることができる。なお、引き回し配線１２は、駆動回路素子１１と画像信号線、ゲート信号線を接続する配線、Vcom配線、駆動回路素子１１間配線等に相当する。
【００２４】
液晶表示パネルL1は、アレイ側基板１とカラーフィルタ側基板６とを互いに対向させて、それらの基板を所定の間隔でもって貼り合わせ、それらの基板間に液晶５を充填、封入させることによって作製される。また、例えばカラーフィルタ側基板６は、その下面すなわち液晶５側の面の全面に、画素電極３との間で液晶５に印加する垂直電界を形成するための共通電極９が形成されている。共通電極９は、ＩＰＳ方式のＬＣＤの場合、アレイ側基板１の画素部４に画素電極３と同じ面内に形成されることによって横電界を生じさせるものとなる。また共通電極９は、ＦＦＳ方式のＬＣＤの場合、アレイ側基板１の画素部４に画素電極３の上方または下方に絶縁層を挟んで形成されることによって端部電界（フリンジ電界）を生じさせるものとなる。また、カラーフィルタ側基板６の下面には、各画素部４に対応する赤（Ｒ）、緑（Ｇ）、青（Ｂ）のカラーフィルタ７が形成されており、各画素部４を通過する光が相互に干渉することを防ぐブラックマトリクスがカラーフィルタ７の外周を囲むように形成されている。なお、カラーフィルタ層７を覆ってオーバーコート層８が形成されており、オーバーコート層８上に共通電極９が形成されている。
【００２５】
また、アレイ側基板１の上面すなわち液晶５側の面の縁部全周と、カラーフィルタ側基板６の下面の縁部全周とが、シリコーン樹脂、アクリル樹脂、エポキシ樹脂、合成ゴム等から成る封止部材１０によって接着、封止されている。さらに、アレイ側基板１の上面における封止部材１０から外部に突出した部位には、ＩＣ，ＬＳＩ等から成る、ゲート信号線駆動回路、画像信号線駆動回路としての駆動回路素子１１がＣＯＧ方式等の実装方法により搭載されており、さらに駆動回路素子１１に外部から駆動信号、制御信号を入出力するＦＰＣ１４が、上記突出した部位の端部に設置されている。なお、１２は液晶表示パネルL1のゲート信号線、画像信号線と駆動回路素子１１を接続等するための引き回し配線、１３は駆動回路素子１１とＦＰＣ１４の回路配線とを電気的に接続するための端子電極である。
【００２６】
そして、カラーフィルタ側基板６の上面すなわち液晶５側の面と対向する面に、タッチパネルT1の検出電極２１が直接的に形成されている。検出電極２１上に保護基板としてのガラス基板等から成る基板２２が設けられている。また、検出電極２１と外部の検出手段等との間で検出信号等の入出力を行うためのＦＰＣ２５が、カラーフィルタ側基板６の上面の端部に設置されている。なお、２３は検出電極２１と端子電極２４を接続するための引き回し配線、２４は引き回し配線２３とＦＰＣ２５の回路配線とを電気的に接続するための端子電極であり、端子電極２４はＦＰＣ２５の端子電極と重なって接続される。
【００２７】
また図２は、静電容量型のタッチパネルT1の検出電極等を示す平面図である。検出電極２１は、カラーフィルタ側基板６の上面のＸ方向（例えば、行方向）に伸びるように形成されたＸ検出電極21Xと、Ｙ方向（例えば、列方向）に伸びるように形成されたＹ検出電極21Yと、Ｘ検出電極21XとＹ検出電極21Yが短絡することを防ぐとともにＸ検出電極21Xの電極部同士を接続するためのブリッジ電極21bと、を有している。端子電極２４群は、カラーフィルタ側基板６の上面の端部に集中的に配置されている。なお、24aは端子電極領域である。
【００２８】
また図３は、タッチパネル付ＬＣＤLT1のタッチパネルT1部を透視した透視平面図である。アレイ側基板１の上面に、その第１の方向に形成された複数本のゲート信号線１ｇと、第１の方向と交差する第２の方向にゲート信号線１ｇと交差させて形成された複数本の画像信号線１ｓと、ゲート信号線１ｇと画像信号線１ｓの交差部に形成された、ＴＦＴ素子２及び画素電極３を含む画素部４と、が形成されている。アレイ側基板１の上面の１つの辺縁部に、画像信号線１ｓに画像信号を入力等する駆動回路素子１１が設けられており、アレイ側基板１の上面の他の辺縁部に、ゲート信号線１ｇにゲート信号を入力等する駆動回路素子11aが設けられている。なお、５ａは表示部、12aはゲート信号線１ｇと駆動回路素子11aを接続する引き回し配線、13aは駆動回路素子11aとＦＰＣ14aの回路配線とを電気的に接続するための端子電極である。
【００２９】
図３に示すように、本発明のタッチパネル付ＬＣＤLT1は、アレイ側基板１は、その上面の平面視で端部（カラーフィルタ側基板６の端子電極２４が形成されている端部）側に設置された駆動回路素子１１と画像信号線を接続する引き回し配線１２が形成されており、複数の端子電極２４は、その半分以下が引き回し配線１２と平面視で重なっている。そして図４（ａ），（ｂ）に示すように、複数の端子電極２４は、１つ以上おきに引き回し配線１２と平面視で重なっていることが好ましい。この場合、引き回し配線１２と平面視で重なっている端子電極（端子電極Ｄ1とする）の両側に、引き回し配線１２と平面視で重なっていない端子電極（端子電極Ｄ0とする）が存在することになる。その結果、タッチパネルT1の端子電極２４とＦＰＣ２５の端子電極との接続状態を液晶表示パネルL1とタッチパネルT1を一体化した状態で確認することがより容易になる。すなわち、端子電極Ｄ1の両側の端子電極Ｄ0がＦＰＣ２５の端子電極と平面視で重畳して良好に接続された状態であれば、端子電極Ｄ1もＦＰＣ２５の端子電極と平面視で重畳して良好に接続されていることが推察できる。従って、タッチパネルT1とＦＰＣ２５との接続不良を低減させることができる。なお、端子電極Ｄ1に平面視で重なっている引き回し配線１２の本数は１本〜数１０本程度である。また図４（ａ）に示すように、複数の端子電極２４は３個以上であることが好ましい。
【００３０】
図４の（ａ）は、複数の端子電極２４が１つおきに引き回し配線１２と平面視で重なっている構成であり、（ｂ）は、複数の端子電極２４が２つおきに引き回し配線１２と平面視で重なっている構成である。複数の端子電極２４は、ｎ個（ｎは１以上の整数）以上おきに引き回し配線１２と平面視で重なっているが、ｎは１乃至３であることが好ましい。ｎが３を超えると、１つの端子電極２４に重なる引き回し配線１２の本数が多くなり、引き回し配線１２同士の間の間隔が狭くなる結果、浮遊容量が発生したり短絡が発生する傾向がある。なお、端子電極２４の寸法は、矩形状のものである場合に短辺の長さが100μｍ〜300μｍ程度である。さらに図４（ｃ）に示すように、引き回し配線１２は、隣接する端子電極２４同士の間の隙間に重畳しているものがあってもよい。この場合、より多数本の引き回し配線１２を端子電極領域24aに重畳させることができる。
【００３１】
また本発明のタッチパネル付ＬＣＤLT1は、アレイ側基板１の上面の周縁とカラーフィルタ側基板６の下面の周縁とが透光性の封止材１０によって封止されていることが好ましい。この場合、タッチパネルT1の端子電極２４を視認することがより容易になる。封止材１０は、シリコーン樹脂、アクリル樹脂等の透光性を有する樹脂材料等によって形成することができる。また、封止材１０は、完全に透明である必要はなく、黄色等の色が若干着いていてもよい。また、カラーフィルタ側基板６は、液晶５側の面における端子電極領域24aを含む部位に、遮光層（ブラックマスク層）の非形成部を設けることが好ましい。この場合、遮光層によって端子電極領域24aが視認しにくくなることがないようにできる。
【００３２】
また本発明のタッチパネル付ＬＣＤLT1は、アレイ側基板１とカラーフィルタ側基板６とを貼り合わせて構成される液晶表示パネルL1におけるカラーフィルタ側基板６の端子電極２４にＦＰＣ２５を接続させた後に、端子電極２４とＦＰＣ２５の端子電極との接続状態を視認によって確認する。このとき、端子電極２４とＦＰＣ２５の端子電極とが接続された状態で、端子電極２４の表面に視認するための凹み等の圧痕が形成されていることが好ましい。端子電極２４は、金属層から成り、例えばＡｌ層上にＮｄ層またはＴｉ層等を積層させた積層構造、またはＭｏ層等の単層構造の下地層と、下地層上に形成された絶縁層と、絶縁層上に形成されたＩＴＯ層と、を有する積層構造のものから成る。そして、端子電極２４の厚みは１００ｎｍ程度ときわめて薄いために、その表面に視認するための凹み等の圧痕が形成されていると、アレイ側基板１の下面側から圧痕を容易に視認でき、端子電極２４の接続状態を視認できる。上記圧痕は、例えば、端子電極２４とＦＰＣの端子電極とを直径数μｍ程度の導電性粒子を含む異方性導電膜（Anisotropic  Conductive  Film）を介して圧接させて接続する場合、導電性粒子が端子電極２４の表面からその内部へ圧入されることによって、端子電極２４に形成される。なお、端子電極１３，２４及び引き回し配線１２，２３は、ＣＶＤ（Chemical  Vapor  Deposition）法、スパッタリング法等の薄膜形成法によって形成できる。
【００３３】
タッチパネルT1は、例えば投影型静電容量方式のものである場合、以下のような構成である。例えば、カラーフィルタ側基板６の一面（液晶５側の面と対向する面）に形成された、Ｙ検出電極の検出電極部間を接続するためのブリッジ電極（中継電極）と、その上の透明絶縁体層と、透明絶縁体層上に形成された、特定方向（例えば、ｘ方向）に伸びるITO（Indium  Tin  Oxide  ；酸化インジウムスズ）透明電極等から成るＸ検出電極、Ｘ検出電極の検出電極部間を接続する接続電極、及び前記特定方向と直交する方向（例えば、ｙ方向）に伸びるITO透明電極等から成るＹ検出電極と、を有する構成である。ブリッジ電極は、Ｙ検出電極の検出電極部とコンタクトホール等によって接続される。これにより、人の指先等の静電的な導電体が静電容量検出領域に近づいたときの上側電極線及び下側電極線との静電結合による静電容量の変化を捉えることができる。そして、静電容量の変化が生じた上側電極線及び下側電極線を、外部の制御IC（Integrated  Circuit）、制御LSI（Large  Scale  Integrated  Circuit）等によって特定することにより、静電容量検出領域における静電容量が変化した位置を、２次元的に、即ち平面内において特定することができる。
【００３４】
本発明のタッチパネルT1は、マトリクススイッチ方式、抵抗膜方式、表面弾性波方式 (超音波方式)、赤外線方式、電磁誘導方式、表面型静電容量方式、投影型静電容量方式等の各種方式のものを採用できる。そのうち、表面型静電容量方式は、１０インチ型以上のタッチパネルに好適に使用される。表面型静電容量方式のタッチパネルにおける静電容量検出部は、例えば、透明被覆層、透明導電膜、ガラス基板の３層から成り、透明導電膜はガラス基板の４つの隅部に設けられた電極に接続される。透明導電膜によってガラス基板上の透明被覆層の表面に均一な電界が形成される。人の指等の静電的な導電体が静電容量検出部の表面に触れると、駆動回路からの微弱な電流が４つの隅部の電極、透明導電膜、透明被覆層及び指等を経由して、大地等の周辺環境と駆動回路との間で等価回路的に閉回路を形成する。駆動回路によって、４つの隅部の電極における電流の比率を算出することにより、指等の位置を判別できる。表面型静電容量方式のタッチパネルは、構成が簡易なため低コストに製作でき、大型のタッチパネルに好適に用いられる。
【００３５】
投影型静電容量方式は、指等による接触部の多点検出が可能である。例えば、投影型静電容量方式のタッチパネルにおける静電容量検出部は、ガラス基板等の基板上に形成されたブリッジ電極、その上の透明絶縁体層、その上の透明電極層を有する。透明電極層は、四角形、菱形、ダイヤモンド形等の形状の検出電極部が所定の方向に連なって伸びるように形成された、ＩＴＯ等から成る第１の検出電極パターン（図２のＸ検出電極21X）と、前記所定の方向と直交する方向に四角形、菱形、ダイヤモンド形等の形状の検出電極部が連なって伸びるように形成された、ＩＴＯ等から成る第２の検出電極パターン（図２のＹ検出電極21Y）と、を含む。ブリッジ電極は、第２の検出電極パターンの検出電極部間を接続するものであり、検出電極部とコンタクトホール等によって接続される。そして、人の指等の静電的な導電体が静電容量検出部の表面に触れると、その付近の第１及び第２の検出電極パターンにおける１ｐＦ程度の静電容量の変化を検出することによって、接触部の位置を２次元的に高精度に検出できる。また、第１及び第２の検出電極パターンは、長くなると電気的な抵抗が高くなるため、金属配線に接続することによって抵抗を小さくし、大型化に対応できる。この投影型静電容量方式のタッチパネルは、接触部の位置検出を行う制御ＩＣ，ＬＳＩ等によって多点検出が可能であり、実用性が高いので、タブレット型携帯端末等に好適に用いることができる。
【００３６】
また、投影型静電容量方式のタッチパネルは、第1及び第２の検出電極パターンにおける静電容量の変化を検出するので、人の指等の静電的な導電体が静電容量検出部の表面に直接触れずに近接した場合であっても、近接部の位置を２次元的に高精度に検出できる。
【００３７】
なお、本発明のタッチパネル付ＬＣＤは、上記実施の形態に限定されるものではなく、適宜の設計的な変更、改良を含んでいてもよい。
【産業上の利用可能性】
【００３８】
本発明のタッチパネル付ＬＣＤは各種の電子機器に適用できる。その電子機器としては、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機、デジタル表示式腕時計などがある。
【符号の説明】
【００３９】
１  アレイ側基板
２  ＴＦＴ素子
３  画素電極
４  画素部
５  液晶
６  カラーフィルタ側基板
７  カラーフィルタ
８  オーバーコート層
９  共通電極
１０  封止材
１１  駆動回路素子
１２  引き回し配線
１３  端子電極
１４  ＦＰＣ
２１  検出電極
２２  基板
２３  引き回し配線
２４  端子電極
２５  ＦＰＣ
【図１】
2016071670.tif 000003
【図２】
2016071670.tif 000004
【図３】
2016071670.tif 000005
【図４】
2016071670.tif 000006
【図５】
2016071670.tif 000007
【図６】
2016071670.tif 000008
【図７】
2016071670.tif 000009
【図８】
2016071670.tif 000010
【図９】
2016071670.tif 000011